(57)【要約】【課題】導光機能を有するのみならず、遮光機能も有するため、光線を導く必要がない時にも使用上の制限を受けないブラインド及びその建築用光学アセンブリーを提供する。【解決手段】本発明は、変色素子と遮光素子とを備えた建築用光学アセンブリーに関する。前記変色素子は光線を受けて変色効果が発生し、前記遮光素子は前記変色素子に隣接して設置され、且つ一部の所定範囲の波長の光線を遮断する。したがって、前記建築用光学アセンブリーが遮光機能と透光機能を有することができる。さらに、前記建築用光学アセンブリーをブラインドに利用する場合、かかるブラインドも遮光機能と透光機能を有することができる。【選択図】図１
2014015831.tif 000002
【特許請求の範囲】
【請求項１】
光線を受けるために用いられる建築用光学アセンブリーであって、
前記光線を受けて変色効果が発生する変色素子、及び
前記変色素子に隣接して設置され、且つ一部の所定範囲の波長の光線を遮断する遮光素子、を含む建築用光学アセンブリー。
【請求項２】
前記光線が太陽光である請求項１に記載の建築用光学アセンブリー。
【請求項３】
前記変色素子が紫外線変色性フィルムまたは熱変色性フィルムである請求項１に記載の建築用光学アセンブリー。
【請求項４】
前記光線がさらに可視光線を含み、前記変色素子が一部の前記可視光線を遮断する請求項１に記載の建築用光学アセンブリー。
【請求項５】
前記遮光素子が前記変色素子に接着されている請求項１に記載の建築用光学アセンブリー。
【請求項６】
前記変色素子が前記遮光素子に接着されている請求項１に記載の建築用光学アセンブリー。
【請求項７】
前記所定範囲の波長の光線が紫外線である請求項１に記載の建築用光学アセンブリー。
【請求項８】
前記遮光素子が６０％以上の紫外線を遮断する請求項１に記載の建築用光学アセンブリー。
【請求項９】
第１側面と該第１側面に対向する第２側面とを備える薄膜基部、及び
前記薄膜基部の前記第１側面または前記第２側面に位置し、且つ第１表面と該第１表面の上部に位置する第２表面とを含み、前記薄膜基部に垂直な基準面と前記第１表面との間に第１挟角を備え、前記第２表面と前記基準面との間に第２挟角を備える、少なくとも１つの微小構造、を備える導光フィルムをさらに含み、
複数の入射光ビームが前記導光フィルムを通過した後に複数の出射光ビームとなり、前記出射光ビームと前記導光フィルムとの間の角度を出射角度と定義し、前記出射光ビームが下向きで且つ前記導光フィルムと平行である時の出射角度を０度と定義し、前記出射光ビームが上向きで且つ前記導光フィルムと平行である時の出射角度を１８０度と定義する場合、出射角度が８５度から１２０度の間である前記複数の出射光ビームの総光束は、出射角度が０度から１８０度の間である前記複数の出射光ビームの総光束の４０％より大きい、請求項１に記載の建築用光学アセンブリー。
【請求項１０】
前記導光フィルムが前記変色素子と前記遮光素子との間に位置する請求項９に記載の建築用光学アセンブリー。
【請求項１１】
前記変色素子が前記導光フィルムに接着されている請求項９に記載の建築用光学アセンブリー。
【請求項１２】
前記遮光素子が前記導光フィルムに接着されている請求項９に記載の建築用光学アセンブリー。
【請求項１３】
前記変色素子が前記導光フィルムと前記遮光素子との間に位置する請求項９に記載の建築用光学アセンブリー。
【請求項１４】
光線を受けるために用いられるブラインドであって、
複数の支持座、
各支持座に位置する複数の建築用光学アセンブリー、及び
前記複数の支持座を制御して回動させる制御装置、を含み、
各建築用光学アセンブリーが、それぞれ、前記光線を受けて変色効果が発生する変色素子、及び前記変色素子に隣接して設置され、且つ所定範囲の波長の光線を遮断する遮光素子、を含むブラインド。
【請求項１５】
各支持座が底板と２つの側部挟持片とを含み、各建築用光学アセンブリーが前記底板と前記２つの側部挟持片との間に挿設されている請求項１４に記載のブラインド。
【請求項１６】
前記複数の支持座が互いに略平行である請求項１４に記載のブラインド。
【請求項１７】
前記遮光素子が６０％以上の紫外線を遮断する請求項１４に記載のブラインド。
【請求項１８】
各建築用光学アセンブリーが、
第１側面と該第１側面に対向する第２側面とを備える薄膜基部、及び
前記薄膜基部の前記第１側面または前記第２側面に位置し、且つ第１表面と該第１表面の上部に位置する第２表面とを含み、前記薄膜基部に垂直な基準面と前記第１表面との間に第１挟角を備え、前記第２表面と前記基準面との間に第２挟角を備える、少なくとも１つの微小構造、を備える導光フィルムをさらに含み、
複数の入射光ビームが前記導光フィルムを通過した後に複数の出射光ビームとなり、前記出射光ビームと前記導光フィルムとの間の角度を出射角度と定義し、前記出射光ビームが下向きで且つ前記導光フィルムと平行である時の出射角度を０度と定義し、前記出射光ビームが上向きで且つ前記導光フィルムと平行である時の出射角度を１８０度と定義する場合、出射角度が８５度から１２０度の間である前記複数の出射光ビームの総光束は、出射角度が０度から１８０度の間である前記複数の出射光ビームの総光束の４０％より大きい、請求項１４に記載のブラインド。
【請求項１９】
前記導光フィルムが前記変色素子と前記遮光素子との間に位置する請求項１８に記載のブラインド。
【請求項２０】
前記変色素子が前記導光フィルムと前記遮光素子との間に位置する請求項１８に記載のブラインド。
【請求項２１】
前記複数の支持座に平行な複数の不透光性の羽根板をさらに含む請求項１４に記載のブラインド。
【請求項２２】
前記複数の支持座が透光性である請求項１４に記載のブラインド。
【発明の詳細な説明】
【技術分野】
【０００１】
本発明は、ブラインド及びその建築用光学アセンブリーに関し、特に入射光を変化させることができるブラインド及びその建築用光学アセンブリーに関する。
【背景技術】
【０００２】
従来の導光装置には多様な形態があり、微小構造を備えた薄膜がその１つである。かかる導光装置は居室の窓または窓近くに位置して、太陽光を導いて前記居室内の天井に位置する反射物を照射するように、前記居室外の太陽光を前記居室に導入するために用いられる。そして、太陽光が前記反射物によって反射され、且つ室内照明または補助照明となる。
【発明の概要】
【発明が解決しようとする課題】
【０００３】
しかしながら、微小構造を備えた薄膜のような導光装置は、単一の導光機能のみ有するため、光線を導く必要がない時には、導光装置が使用上の制限を受ける。
【０００４】
したがって、上記問題を解決するためにブラインド及びその建築用光学アセンブリーを提供する必要がある。
【課題を解決するための手段】
【０００５】
本発明は、光線を受けるために用いられる建築用光学アセンブリーを提供する。前記建築用光学アセンブリーは変色素子と遮光素子とを含む。前記変色素子は光線を受けて変色効果が発生し、前記遮光素子は前記変色素子に隣接して設置され、且つ一部の所定範囲の波長の光線を遮断する。よって、前記建築用光学アセンブリーは遮光機能と透光機能を有することができる。
【０００６】
また、本発明は、光線を受けるために用いられるブラインドを提供する。前記ブラインドは複数の支持座、複数の建築用光学アセンブリー及び制御装置を含む。各建築用光学アセンブリーは各支持座に位置し、且つ各建築用光学アセンブリーは変色素子と遮光素子とを備える。前記変色素子は前記光線を受けて変色効果が発生し、前記遮光素子は前記変色素子に隣接して設置され、且つ所定範囲の波長の光線を遮断する。前記制御装置は前記複数の支持座を制御して回動させる。よって、前記ブラインドは遮光機能と透光機能を有することができる。
【発明の効果】
【０００７】
本発明の建築用光学アセンブリーによれば、遮光素子と変色素子とを備えるので、遮光機能と透光機能をともに有することができ、また本発明のブラインドによれば、複数の支持座、複数の建築用光学アセンブリー及び制御装置を備えるので、遮光機能と透光機能をともに有することができる。
【図面の簡単な説明】
【０００８】
【図１】本発明の建築用光学アセンブリーの第１実施例を示す断面図である。
【図２】本発明の建築用光学アセンブリーの第２実施例を示す断面図である。
【図３】本発明の建築用光学アセンブリーの第３実施例を示す断面図である。
【図４】本発明の導光フィルムの一実施例を示す斜視図である。
【図５】図４の導光フィルムの側面図である。
【図６】図５の部分拡大図である。
【図７】本発明の建築用光学アセンブリーの第４実施例を示す断面図である。
【図８】本発明の建築用光学アセンブリーの第５実施例を示す断面図である。
【図９】本発明のブラインドの第１実施例を示す斜視図である
【図１０】本発明のブラインドの第１羽根板の第１実施例を示す分解斜視図である。
【図１１】本発明のブラインドの第１羽根板の第１実施例を示す組合せ後の斜視図である。
【図１２】図９のブラインドの第１動作を示す説明図である。
【図１３】図９のブラインドの第２動作を示す説明図である。
【図１４】本発明のブラインドの第２実施例を示す斜視図である。
【図１５】本発明のブラインドの第１羽根板の第２実施例を示す分解斜視図である。
【発明を実施するための形態】
【０００９】
図１を参照すると、本発明の建築用光学アセンブリーの第１実施例を示す断面図である。前記建築用光学アセンブリー１は、光線１０を受けるために用いられ、且つ変色素子１２と遮光素子１４とを備える。前記変色素子１２は前記光線１０を受けて変色効果が発生可能である。前記遮光素子１４は前記変色素子１２に隣接して設置され、且つ一部の所定範囲の波長の光線１０を遮断する。
【００１０】
第１実施例では、前記光線１０は太陽光であり、少なくとも可視光線と紫外線とを含む。前記変色素子１２は紫外線変色性フィルムまたは熱変色性フィルムであり、基材と添加剤とを含む。前記基材の材料は、たとえばポリメタクリル酸メチル（Ｐｏｌｙｍｅｔｈｙｌ  Ｍｅｔｈａｃｒｙｌａｔｅ：ＰＭＭＡ）、アクリル系ポリマー（Ａｃｒｙｌｉｃ−ｂａｓｅｄ  Ｐｏｌｙｍｅｒ）、ポリカーボネート（Ｐｏｌｙｃａｒｂｏｎａｔｅ：ＰＣ）、ポリエチレンテレフタレート（Ｐｏｌｙｅｔｈｙｌｅｎｅ  Ｔｅｒｅｐｈｔｈａｌａｔｅ：ＰＥＴ）、ポリスチレン（Ｐｏｌｙｓｔｙｒｅｎｅ：ＰＳ）、またはその共重合体（Ｃｏｐｏｌｙｍｅｒ）であってもよい。前記添加剤は前記基材中に分散し、その材料はたとえば紫外線感光染料、紫外線感光顔料粉末、紫外線感光インク、感温変色性染料、感温変色性顔料粉末、または感温変色性インクであってもよい。第１実施例では、前記変色素子１２が紫外線変色性フィルムである。すなわち、前記変色素子１２が紫外線照射を受けない時には透明であり、前記変色素子１２が紫外線照射を受ける時には、紫外線を吸収して変色（濃い色に変化）効果を生じ、且つ光線の通過を遮断して、遮光効果を有する。
【００１１】
第１実施例では、前記遮光素子１４は耐紫外線フィルムである。前記所定範囲の波長の光線は紫外線である。好ましくは、前記遮光素子１４が６０％以上の紫外線を遮断することができ、他の光線は通過させる。第１実施例では、前記変色素子１２と前記遮光素子１４がそれぞれ別途に形成された薄膜片であり、その後に接合して前記建築用光学アセンブリー１となる。しかし、他の実施例では、前記遮光素子１４は前記変色素子１２に接着（たとえばライニング）されて薄膜片を形成するか、または前記変色素子１２が前記遮光素子１４に接着（たとえばライニング）されて薄膜片を形成する。
【００１２】
図１に示すように、前記遮光素子１４が前記光線１０に対向し、この場合、前記遮光素子１４が前記光線１０中の紫外線を遮断するが、他の光線（たとえば可視光線）は通過させる。同時に、前記変色素子１２は紫外線の照射を受けないので透明である。したがって、この場合、前記建築用光学アセンブリー１は透光性である。すなわち、前記光線１０の可視光線は前記遮光素子１４と前記変色素子１２とを通過して図中の右側に到達することができるが、紫外線は図中の右側に達しない（もしくは少量の紫外線のみ図中の右側に到達する）。
【００１３】
図２を参照すると、本発明の建築用光学アセンブリーの第２実施例を示す断面図である。第２実施例の建築用光学アセンブリー１ａは図１の建築用光学アセンブリー１とほぼ同様であり、同じ要素には同じ符号を付与し、且つその相違は下記のとおりである。第２実施例では、前記建築用光学アセンブリー１ａの前記変色素子１２が前記光線１０に対向する。この場合、前記変色素子１２が前記光線１０中の紫外線の照射を受け、紫外線を吸収して変色（濃い色に変化）効果が生じ、且つ他の光線（たとえば可視光線）の通過を阻害するか、または一部の前記可視光線を遮断する。したがって、この場合、前記建築用光学アセンブリー１ａは不透光性である。すなわち、前記光線１０は前記変色素子１２と前記遮光素子１４とを通過して図中の右側に達しない（もしくは少量の前記光線１０のみ図中の右側に到達する）。この場合、前記建築用光学アセンブリー１ａは遮光効果を有する。前記建築用光学アセンブリー１ａと図１の建築用光学アセンブリー１との差異は１８０度回転しただけである。したがって、前記建築用光学アセンブリー１、１ａは遮光機能と透光機能を有することができる。
【００１４】
図３を参照すると、本発明の建築用光学アセンブリーの第３実施例を示す断面図である。第３実施例の建築用光学アセンブリー１ｂは図１の建築用光学アセンブリー１とほぼ同様であり、同じ要素には同じ符号を付与し、且つその相違は下記のとおりである。第３実施例では、前記建築用光学アセンブリー１ｂは、前記変色素子１２と前記遮光素子１４との間に位置する導光フィルム２をさらに備える。
【００１５】
図４〜図６を同時に参照されたい。図４は本発明の導光フィルムの一実施例を示す斜視図であり、図５は図４の導光フィルムの側面図であり、図６は図５の部分拡大図である。前記導光フィルム２は薄膜基部２１及び少なくとも１つの微小構造２２を備える。本実施例では、前記導光フィルム２は複数の微小構造２２を備える。前記薄膜基部２１は第１側面２１１と第２側面２１２とを備え、且つ前記第２側面２１２は前記第１側面２１１に対向する。
【００１６】
前記微小構造２２は前記薄膜基部２１の前記第１側面２１１または前記第２側面２１２に位置し、且つ前記微小構造２２は第１表面２２１と第２表面２２２とを備える。前記第２表面２２２は前記第１表面２２１の上部に位置する。本実施例では、前記微小構造２２の断面は略三角形を呈し、且つ前記第１表面２２１と第２表面２２２とは相交わる。
【００１７】
基準面３０ａは前記薄膜基部２１の前記第１側面２１１または前記第２側面２１２に垂直する仮想面と定義される。すなわち、前記導光フィルム２が垂直に直立する時、前記基準面３０ａは仮想水平面となる。前記第１表面２２１と前記基準面３０ａとの間に第１挟角θ１（図６）を備え、前記第２表面２２２と前記基準面３０ａとの間に第２挟角θ２（図６）を備え、そのうち、前記第１挟角θ１が前記第２挟角θ２より小さいか、または等しい。
【００１８】
図６に示すように、本実施例では、前記第１挟角θ１の値が１１度〜１９度で、且つ前記第２挟角θ２の値が５２度〜６８度であり、且つ前記第１挟角θ１と前記第２挟角θ２との総和は６３度〜８７度である。好ましくは、前記第１挟角θ１の値が１５度であり、且つ前記第２挟角θ２の値が６０度である。
【００１９】
前記薄膜基部２１の材料は前記微小構造２２の材料と異なるものであってもよい。前記薄膜基部２１は透光性材料で製造され、たとえばポリメタクリル酸メチル（Ｐｏｌｙｍｅｔｈｙｌ  Ｍｅｔｈａｃｒｙｌａｔｅ：ＰＭＭＡ）、アクリル系ポリマー（Ａｃｒｙｌｉｃ−ｂａｓｅｄ  Ｐｏｌｙｍｅｒ）、ポリカーボネート（Ｐｏｌｙｃａｒｂｏｎａｔｅ：ＰＣ）、ポリエチレンテルフタレート（Ｐｏｌｙｅｔｈｙｌｅｎｅ  Ｔｅｒｅｐｈｔｈａｌａｔｅ：ＰＥＴ）、ポリスチレン（Ｐｏｌｙｓｔｙｒｅｎｅ：ＰＳ）またはその共重合体（Ｃｏｐｏｌｙｍｅｒ）であり、且つその屈折率が１．３５〜１．６５である。
【００２０】
前記微小構造２２は透光性の金属酸化物で製造され、たとえば二酸化チタン（ＴｉＯ２）または五酸化二タンタル（Ｔａ２Ｏ５）で製造され、且つその屈折率が１．９〜２．６である。一実施例においては、まず前記薄膜基部２１に１層の前記金属酸化物を形成する。その後、エッチング方式を利用して前記微小構造２２を形成する。前記薄膜基部２１の材料が前記微小構造２２の材料と同じであってもよいことは理解できる。
【００２１】
本実施例では、複数の入射光ビーム３０が前記導光フィルム２を通過した後に複数の出射光ビーム３１となる。図５に示すように、前記出射光ビーム３１と前記導光フィルム２との間の角度を出射角度θ３と定義する。前記出射光ビーム（すなわち前記出射光ビーム３１１）が下向きで且つ前記導光フィルム２と平行である時、前記出射角度θ３は０度と定義される。前記出射光ビーム（すなわち前記出射光ビーム３１２）が水平で且つ前記基準面３０ａと平行である時、前記出射角度θ３は９０度と定義される。前記出射光ビーム（すなわち前記出射光ビーム３１３）が上向きで且つ前記導光フィルム２と平行である時、前記出射角度θ３は１８０度と定義される。
【００２２】
前記入射光ビーム３０と前記基準面３０ａとの間の角度を入射角度θ４と定義する。前記入射光ビーム３０が下向きである時、前記入射角度θ４は正値と定義される。前記入射光ビーム（図示せず）が水平で且つ前記基準面３０ａと平行である時、前記入射角度θ４は０度と定義され、且つ前記入射光ビーム（図示せず）が上向きである時、前記入射角度θ４は負値と定義される。
【００２３】
図６に示すように、前記複数の入射光ビーム３０は、前記微小構造２２の第２表面２２２を透過して屈折され前記微小構造２２に進入し、且つ前記微小構造２２の第１表面２２１で反射される。そして、反射された前記複数の入射光ビーム３０は前記薄膜基部２１を通過して前記複数の出射光ビーム３１となる。特に注意すべきことは、前記第１挟角θ１と前記第２挟角θ２との特殊設計により、前記複数の入射光ビーム３０が前記第１表面２２１で反射される。したがって、前記複数の入射光ビーム３０の入射角度θ４が３０〜６０度の下向きである時、５０％を超える前記複数の出射光ビーム３１が上向きである。また、前記複数の出射光ビーム３１が前記出射角度θ３の特定範囲に集中される。すなわち、前記出射角度の特定範囲内の前記複数の出射光ビーム３１の総光束（ｌｉｇｈｔ ｆｌｕｘ）は、前記出射角度の他の範囲の他の出射光ビーム３１に比較してピーク値である。
【００２４】
一実施例において、前記複数の入射光ビーム３０の入射角度θ４が３０度から６０度の間にあり、且つ出射角度が８５度から１２０度の間である前記複数の出射光ビーム３１の総光束は、出射角度が０度から１８０度の間である前記複数の出射光ビーム３１の総光束の４０％より大きい。
【００２５】
再度図３を参照されたい。前記遮光素子１４は前記光線１０に対向する。この場合、前記遮光素子１４は前記光線１０中の紫外線を遮断するが、他の光線（たとえば可視光線）を通過させる。その後、前記他の光線（たとえば可視光線）の一部は前記導光フィルム２によって上部に導かれて前記変色素子１２を通過する。前記変色素子１２は紫外線の照射を受けないので透明である。したがって、この場合、前記建築用光学アセンブリー１ｂは透光性であり且つ導光効果を有する。すなわち前記光線１０の可視光線は前記遮光素子１４、前記導光フィルム２及び前記変色素子１２を通過して図中の右側に到達することができ、その中一部の可視光線は図中の右側の上部に到達することができる。また、紫外線は図中の右側に達しない（もしくは少量の紫外線のみ図中の右側に到達する）。
【００２６】
建築用光学アセンブリーの第３実施例では、前記変色素子１２、前記導光フィルム２及び前記遮光素子１４がそれぞれ別途に形成された薄膜片であり、その後接合して前記建築用光学アセンブリー１ｂとなる。しかしながら、他の実施例では、前記遮光素子１４が前記導光フィルム２に接着（たとえばライニング）されて薄膜片を形成するか、または前記変色素子１２が前記導光フィルム２に接着（たとえばライニング）されて薄膜片を形成する。
【００２７】
図７を参照すると、本発明の建築用光学アセンブリーの第４実施例を示す断面図である。第４実施例の建築用光学アセンブリー１ｃは図２の建築用光学アセンブリー１ａとほぼ同様であり、同じ要素には同じ符号を付与し、且つその相違は下記のとおりである。第４実施例では、前記建築用光学アセンブリー１ｃは、前記変色素子１２と前記遮光素子１４との間に位置する前記導光フィルム２をさらに備える。
【００２８】
第４実施例では、前記建築用光学アセンブリー１ｃの前記変色素子１２が前記光線１０に対向する。この場合、前記変色素子１２は前記光線１０中の紫外線の照射を受けて、紫外線を吸収して変色（濃い色に変化）効果を生じ、且つ他の光線（たとえば前記可視光線）の通過を阻害するか、または一部の前記可視光線を遮断する。したがって、この場合、前記建築用光学アセンブリー１ｃは不透光性である。すなわち前記光線１０は、前記変色素子１２、前記導光フィルム２及び前記遮光素子１４を通過して図中の右側に達しない（もしくは少量の前記光線１０のみ図中の右側に到達する）。この場合、前記建築用光学アセンブリー１ｃは遮光効果を有する。
【００２９】
図８を参照すると、本発明の建築用光学アセンブリーの第５実施例を示す断面図である。第５実施例の建築用光学アセンブリー１ｄは図３の建築用光学アセンブリー１ｂとほぼ同様であり、同じ要素には同じ符号を付与し、且つその相違は下記のとおりである。第５実施例では、前記建築用光学アセンブリー１ｄの前記変色素子１２が前記導光フィルム２と前記遮光素子１４との間に位置する。したがって、前記建築用光学アセンブリー１ｄの光学効果は図３の建築用光学アセンブリー１ｂの光学効果とほぼ同じである。
【００３０】
図９を参照すると、本発明のブラインドの第１実施例を示す斜視図である。前記ブラインド４は前記光線１０を受けるために用いられる。前記ブラインド４は複数の第１羽根板５、複数の第２羽根板６及び制御装置（図示せず）を備える。ブラインドの第１実施例では、前記複数の第１羽根板５と前記複数の第２羽根板６とが異なり、且つ前記複数の第１羽根板５は前記複数の第２羽根板６の上部に位置する。各第１羽根板５が支持座５１及び建築用光学アセンブリー１ｂ（図１０）を備える。前記複数の第１羽根板５は互いに略平行（すなわち前記複数の支持座５１が互いに略平行）であり、且つ透光性である。前記複数の第２羽根板６は不透光性羽根板（たとえば金属、木又は不透光性プラスチック）であり、且つ前記複数の支持座５１と平行である。前記制御装置は、前記複数の第１羽根板５の支持座５１及び前記複数の第２羽根板６を制御して回動させる。
【００３１】
図１０及び図１１を参照すると、それぞれ、本発明のブラインドの第１羽根板の第１実施例の分解斜視図及び組合せ後の斜視図である。各第１羽根板５が支持座５１及び建築用光学アセンブリー１ｂを備える。前記支持座５１は、前記建築用光学アセンブリー１ｂを搭載し、且つ底板５２と２つの側部挟持片５３とを備える。前記複数の側部挟持片５３は前記底板５２上部の両側部に位置し、且つ前記複数の側部挟持片５３と前記底板５２との間は収容空間５４を画成する。好ましくは、前記支持座５１は透光性のプラスチック材質であり、且つ前記複数の側部挟持片５３と前記底板５２とは一体成型である。
【００３２】
前記建築用光学アセンブリー１ｂは前記支持座５１に位置する。第１羽根板の第１実施例では、前記建築用光学アセンブリー１ｂは前記複数の側部挟持片５３と前記底板５２との間の収容空間５４内に挿設され、且つ前記遮光素子１４が底板５２に接し、前記変色素子１２が前記複数の側部挟持片５３に接する。第１羽根板の第１実施例では、前記建築用光学アセンブリー１ｂは図３の建築用光学アセンブリー１ｂであるが、前記建築用光学アセンブリー１ｂを図１の建築用光学アセンブリー１、図２の建築用光学アセンブリー１ａ、図７の建築用光学アセンブリー１ｃ、または図８の建築用光学アセンブリー１ｄに変更できることは理解できる。
【００３３】
図１２を参照すると、図９のブラインドの第１動作を示す説明図である。図には前記ブラインド４が実際に使用されている状況が示され、図中の右側が室外であり、且つ前記光線１０が太陽光であり、図中の左側が室内である。使用時に、ユーザーが前記ブラインド４の前記制御装置を始動すると、前記複数の第１羽根板５と前記複数の第２羽根板６を回動させることができる。図１２に示すように、前記複数の第１羽根板５の前記遮光素子１４が前記光線１０に対向する（すなわち室外に向う）ように、前記複数の第１羽根板５と前記複数の第２羽根板６を地面に垂直となる位置まで回動させて、図３に類似する状態を形成する。この場合、前記複数の遮光素子１４が前記光線１０中の紫外線を遮断し、他の光線（たとえば可視光線）を通過させる。その後、前記他の光線（たとえば可視光線）の一部が前記導光フィルム２によって上部に導かれて前記変色素子１２を通過する。前記変色素子１２が紫外線照射を受けないので透明である。したがって、この場合、前記複数の第１羽根板５が透光性であり且つ導光効果を有する。すなわち、前記光線１０の可視光線が前記複数の第１羽根板５を通過して図中の左側に到達することができ、その中一部の可視光線が図中の左側の上部に到達することができる。また、紫外線は図中の左側に達しない（もしくは少量の紫外線のみ図中の左側に到達する）。また、前記複数の第２羽根板６は完全に遮光する。したがって、前記ブラインド４の第１動作で生じる効果は、一部の前記光線１０を図中の左側の上部まで導くことである。
【００３４】
図１３を参照すると、図９のブラインドの第２動作を示す説明図である。この場合、ユーザーが前記ブラインド４の前記制御装置を始動して前記複数の第１羽根板５と前記複数の第２羽根板６を回動させる。図１３に示すように、前記複数の第１羽根板５の前記変色素子１２が前記光線１０に対向する（すなわち室外に向う）ように、前記複数の第１羽根板５と前記複数の第２羽根板６とを地面に垂直となる位置まで回動させて、図７に類似する状態を形成する。この場合、前記複数の変色素子１２は前記光線１０中の紫外線の照射を受け、紫外線を吸収して変色効果（濃い色に変化）を生じ、且つ他の光線（たとえば前記可視光線）の通過を阻害するか、または一部の前記可視光線を遮断する。したがって、この場合、前記複数の第１羽根板５は不透光性である。すなわち前記光線１０が前記複数の第１羽根板５を通過して図中の左側に達しない（もしくは少量の前記光線１０のみ図中の左側に到達する）。また、前記複数の第２羽根板６は依然として完全に遮光する。したがって、前記ブラインド４の第２動作で生じる効果は、前記光線１０をほぼ完全に遮断して、遮光効果を有することである。したがって、前記ブラインド４は、前記複数の羽根板（前記複数の第１羽根板５及び前記複数の第２羽根板６）の角度を切り換えることにより、遮光機能と導光機能を有することができ、同時に紫外線の室内への進入を遮断することができる。
【００３５】
図１４を参照すると、本発明のブラインドの第２実施例の斜視図である。第２実施例のブラインド４ａは図９のブラインド４とほぼ同様であり、同じ要素には同じ符号を付与し、且つその相違は下記のとおりである。第２実施例では、前記ブラインド４ａは複数の第１羽根板５、複数の第２羽根板５ａ及び制御装置（図示せず）を備える。前記ブラインド４ａの前記複数の第１羽根板５は図９のブラインド４の前記複数の第１羽根板５と同じである。前記の各第２羽根板５ａと前記の各第１羽根板５とがほぼ同様であり、支持座５１（図１０）を備える。しかし、前記複数の第２羽根板５ａのそれぞれに挿設される建築用光学アセンブリーが前記複数の第１羽根板５のそれぞれに挿設される建築用光学アセンブリーと同じであることも異なることも可能であり、実際のニーズに応じて組み合わせることができる。
【００３６】
図１５を参照すると、本発明のブラインドの第１羽根板の第２実施例を示す分解斜視図である。第２実施例の第１羽根板５ｂは図１０の第１羽根板５と略同様であり、同じ要素には同じ符号を付与し、且つその相違は下記のとおりである。図１０の第１羽根板５では、前記変色素子１２、前記導光フィルム２及び前記遮光素子１４がそれぞれ別途に形成された薄膜片であり、その後に前記収容空間５４内に挿設される。しかし、第２実施例の第１羽根板５ｂでは、前記変色素子１２が前記導光フィルム２に接着（たとえばライニング）されて薄膜片を形成し、その後に前記遮光素子１４とともに前記収容空間５４内に挿設される。
【００３７】
上記の実施例は本発明の原理およびその効果を説明するためのものであり、本発明を限定するものではない。したがって、当業者が上記の実施例に対して行う修正及び変更も本発明の構想から離脱するものではない。本発明の権利の範囲は後述する特許請求の範囲に記載されたとおりである。
【符号の説明】
【００３８】
１         本発明の建築用光学アセンブリーの第１実施例
１ａ       本発明の建築用光学アセンブリーの第２実施例
１ｂ       本発明の建築用光学アセンブリーの第３実施例
１ｃ       本発明の建築用光学アセンブリーの第４実施例
１ｄ       本発明の建築用光学アセンブリーの第５実施例
２         導光フィルム
４         本発明のブラインドの第１実施例
４ａ       本発明のブラインドの第２実施例
５         第１羽根板の第１実施例
５ａ       第２羽根板
５ｂ       第１羽根板の第２実施例
６         第２羽根板
１０       光線
１２       変色素子
１４       遮光素子
２１       薄膜基部
２２       微小構造
３０ａ      基準面
３０       入射光ビーム
３１       出射光ビーム
５１       支持座
５２       底板
５３       側部挟持片
５４       収容空間
２１１      薄膜基底の第１側面
２１２      薄膜基底の第２側面
２２１      微小構造の第１表面
２２２      微小構造の第２表面
３１１      出射光ビーム
３１２      出射光ビーム
３１３      出射光ビーム
θ１         第１挟角
θ２         第２挟角
θ３         出射角度
θ４         入射角度
【図１】
2014015831.tif 000003
【図２】
2014015831.tif 000004
【図３】
2014015831.tif 000005
【図４】
2014015831.tif 000006
【図５】
2014015831.tif 000007
【図６】
2014015831.tif 000008
【図７】
2014015831.tif 000009
【図８】
2014015831.tif 000010
【図９】
2014015831.tif 000011
【図１０】
2014015831.tif 000012
【図１１】
2014015831.tif 000013
【図１２】
2014015831.tif 000014
【図１３】
2014015831.tif 000015
【図１４】
2014015831.tif 000016
【図１５】
2014015831.tif 000017